(57)【要約】【課題】囲い板１を簡単に作業能率良く取り付けできる実用性に秀れた窓囲い板用取付金具を提供する。【解決手段】金具固定手段Ｔにより前記窓ａの左右側部に固定される金具本体Ａは、長さ方向にガイド溝２を有する断面略コ字状に形成した構成とし、この金具本体Ａの前記ガイド溝２の対向する対向片部２ａに囲い板１を架設状態に挿通する板挿通孔３を対向状態に対設し、この金具本体Ａを窓ａの左右側部に一対互いのガイド溝２の開口側を対向状態にして固定し、対向するガイド溝２間に上方から囲い板１を落とし込むことでこの囲い板１を窓ａの外側に取り付けでき、且つこの金具本体Ａを窓ａの左右側部に一対互いのガイド溝２の対向片部２ａ側を対向状態にして固定し、対向するガイド溝２の各対向片部２ａに対設された板挿通孔３に左右側方から囲い板１を架設状態に挿通配設することでこの囲い板１を窓ａの外側に取り付けできる構成とした窓囲い板用取付金具。【選択図】図１
0003118729.tif 000002
【実用新案登録請求の範囲】
【請求項１】
窓の左右側部に固定してこの窓の外側に囲い板を取り付ける窓囲い板用取付金具において、金具固定手段により前記窓の左右側部に固定される金具本体は、長さ方向にガイド溝を有する断面略コ字状に形成した構成とし、この金具本体の前記ガイド溝の対向する対向片部に前記囲い板を架設状態に挿通する板挿通孔を対向状態に対設し、この金具本体を金具固定手段により前記窓の左右側部に一対互いのガイド溝の開口側を対向状態にして固定し、この対向するガイド溝間に上方から前記囲い板を落とし込むことでこの一対の金具本体間に架設状態にしてこの囲い板を前記窓の外側に取り付けでき、且つ、この金具本体を金具固定手段により前記窓の左右側部に一対互いのガイド溝の対向片部側を対向状態にして固定し、この対向するガイド溝の各対向片部に対設された前記板挿通孔に左右側方から前記囲い板を架設状態に挿通配設することでこの一対の金具本体間に架設状態にしてこの囲い板を前記窓の外側に取り付けできる構成としたことを特徴とする窓囲い板用取付金具。
【請求項２】
前記金具本体は、平板材を略コ字状に折曲して長さ方向に前記ガイド溝を形成すると共にこのガイド溝の対向片部にこの金具本体の長さ方向に長い孔形状を有する前記板挿通孔を対向状態に対設した構成としたことを特徴とする請求項１記載の窓囲い板用取付金具。
【請求項３】
前記金具本体は、前記ガイド溝の対向片部にこの金具本体の長さ方向に長い孔形状を有する前記板挿通孔を対向状態に対設した構成とすると共に、この板挿通孔をこの金具本体の長さ方向に所定間隔を介して複数対設した構成とした、若しくはこの板挿通孔を前記囲い板を金具本体の長さ方向に複数並設状態に挿通配設し得る長孔形状に形成した構成としたことを特徴とする請求項１，２のいずれか１項に記載の窓囲い板用取付金具。
【請求項４】
前記金具本体は、前記ガイド溝の対向片部間の対向間隔を前記囲い板の板厚と略合致する長さに設定し、この金具本体を金具固定手段により前記窓の左右側部に一対互いのガイド溝の開口側を対向状態にして固定し、この対向するガイド溝間に上方から複数の前記囲い板を落とし込むことでこの一対の金具本体間に架設状態にして複数の囲い板を前記窓の外側にこの窓に対向状態にして上下多段に取り付けできる構成としたことを特徴とする請求項１〜３のいずれか１項に記載の窓囲い板用取付金具。
【請求項５】
前記金具本体の前記ガイド溝の対向片部及び溝底部に夫々、螺子やビスなどの止着部材を挿通する挿通孔を形成し、このガイド溝の対向片部若しくは溝底部のいずれか一方の前記挿通孔に挿通した止着部材により、この金具本体のガイド溝の対向片部若しくは溝底部を前記窓の左右側部に対して対向状態にしてこの金具本体を窓の左右側部に固定し得るように前記金具固定手段を構成したことを特徴とする請求項１〜４のいずれか１項に記載の窓囲い板用取付金具。
【請求項６】
前記金具本体は、一対互いのガイド溝の開口側を対向状態にして前記窓の左右側部に固定してこの対向するガイド溝間に上方から落とし込んだ前記囲い板がこのガイド溝間から下方に脱落することを阻止するストッパ部材をこのガイド溝の少なくとも一箇所に設けた構成としたことを特徴とする請求項１〜５のいずれか１項に記載の窓囲い板用取付金具。
【考案の詳細な説明】
【技術分野】
【０００１】
本考案は、例えば雪や強風から窓を防護するための囲い板をこの窓の外側に取り付けるべく、窓の左右側部に固定する窓囲い板用の取付金具に関するものである。
【背景技術】
【０００２】
例えば、窓を雪や強風などの外力から防護する囲い板をこの窓の外側に取り付けるための窓囲い板用取付金具が従来から種々提案されている。
【０００３】
この窓囲い板用取付金具は、一般に、長さ方向にガイド溝を有する断面略コ字状の金具本体を窓の左右側部に一対互いのガイド溝の開口側を対向状態にして固定し、この対向する一対のガイド溝間に上方から複数の囲い板を順次落とし込むことでこの複数の囲い板をこの一対の金具本体間に架設状態にして前記窓の外側に多段に取り付けし、また、この囲い板をこの対向するガイド溝間から上方に持ち上げることでこの囲い板を取り外しする構成である。
【０００４】
その為、仮に窓の上方、即ち前記ガイド溝間の上方に邪魔なものがあった場合、このガイド溝間に上方から囲い板を落とし込んだり、このガイド溝間から上方に囲い板を持ち上げたりする上記の囲い板の取り付け・取り外しが良好に行えない。特に、屋根付きの窓など、窓の上方側に退かすことができない障害物があった場合、上記の囲い板の取り付け・取り外しが非常に困難で厄介な作業となってしまう。
【０００５】
従って、対向する一対のガイド溝間に上方から前記囲い板を落とし込んだり持ち上げたりする構成が、この種の窓囲い板用取付金具の囲い板の取り付け・取り外し作業時において懸念される作業能率の低下を招き、ひいては上方に障害物（屋根など）が有る窓には使用できないなど、使用可能な箇所が限定されるといった実用上の問題点を有した。
【０００６】
そこで、本出願人は、例えば本出願人の先願である実公平２−１４３２号公報に記載のように、囲い板を前記ガイド溝間に上方からではなく左右側方からも配設できるように構成した窓囲い板用取付金具を提案している。
【０００７】
これは、例えば長さ方向にガイド溝を有する断面略コ字状に形成した金具本体の一部（ガイド溝の溝底部の一部）に、囲い板を挿通可能な板挿通孔を形成した構成であって、この金具本体を窓の左右側部に一対互いのガイド溝の開口側を対向状態にして固定した際、囲い板をガイド溝間に上方からでなく板挿通孔を介して左右側方から挿通配設することでこのガイド溝間に囲い板を落とし込めるものである。
【０００８】
このように、金具本体に形成した板挿通孔を介して囲い板を左右側方からガイド溝間に挿通配設してこのガイド溝間に落とし込むタイプのものは、たとえ窓の上方、即ちガイド溝間の上方に屋根などの障害物があったとしても、板挿通孔を介して囲い板をガイド溝間に左右側方から出し入れでき、よって、窓の上方の障害物の有無に関り無く良好に囲い板を窓の外側に取り付け・取り外しできるものである。
【０００９】
【特許文献１】実公平２−１４３２号公報
【考案の開示】
【考案が解決しようとする課題】
【００１０】
本考案は、従来の窓囲い板用取付金具について更なる研究開発を重ねた結果完成したものであって、窓の左右側部に固定した一対の金具本体間に架設状態にして囲い板をこの窓の外側に取り付けできることは勿論、この一対の金具本体に囲い板を架設配設する際、この囲い板をこの一対の金具本体間に上方から架設配設することも、この囲い板をこの一対の金具本体間に左右側方から架設配設することもでき、使用者の好みや窓の周囲の障害物の有無などの条件に合わせて囲い板の取り付け方法を適宜選択できるから、様々な窓に使用者の好みのスタイルで良好に囲い板を取り付け・取り外しできる極めて実用性に秀れた画期的な窓囲い板用取付金具を提供することを課題とする。
【課題を解決するための手段】
【００１１】
添付図面を参照して本考案の要旨を説明する。
【００１２】
窓ａの左右側部に固定してこの窓ａの外側に囲い板１を取り付ける窓囲い板用取付金具において、金具固定手段Ｔにより前記窓ａの左右側部に固定される金具本体Ａは、長さ方向にガイド溝２を有する断面略コ字状に形成した構成とし、この金具本体Ａの前記ガイド溝２の対向する対向片部２ａに前記囲い板１を架設状態に挿通する板挿通孔３を対向状態に対設し、この金具本体Ａを金具固定手段Ｔにより前記窓ａの左右側部に一対互いのガイド溝２の開口側を対向状態にして固定し、この対向するガイド溝２間に上方から前記囲い板１を落とし込むことでこの一対の金具本体Ａ間に架設状態にしてこの囲い板１を前記窓ａの外側に取り付けでき、且つ、この金具本体Ａを金具固定手段Ｔにより前記窓ａの左右側部に一対互いのガイド溝２の対向片部２ａ側を対向状態にして固定し、この対向するガイド溝２の各対向片部２ａに対設された前記板挿通孔３に左右側方から前記囲い板１を架設状態に挿通配設することでこの一対の金具本体Ａ間に架設状態にしてこの囲い板１を前記窓ａの外側に取り付けできる構成としたことを特徴とする窓囲い板用取付金具に係るものである。
【００１３】
また、前記金具本体Ａは、平板材を略コ字状に折曲して長さ方向に前記ガイド溝２を形成すると共にこのガイド溝２の対向片部２ａにこの金具本体Ａの長さ方向に長い孔形状を有する前記板挿通孔３を対向状態に対設した構成としたことを特徴とする請求項１記載の窓囲い板用取付金具に係るものである。
【００１４】
また、前記金具本体Ａは、前記ガイド溝２の対向片部２ａにこの金具本体Ａの長さ方向に長い孔形状を有する前記板挿通孔３を対向状態に対設した構成とすると共に、この板挿通孔３をこの金具本体Ａの長さ方向に所定間隔を介して複数対設した構成とした、若しくはこの板挿通孔３を前記囲い板１を金具本体Ａの長さ方向に複数並設状態に挿通配設し得る長孔形状に形成した構成としたことを特徴とする請求項１，２のいずれか１項に記載の窓囲い板用取付金具に係るものである。
【００１５】
また、前記金具本体Ａは、前記ガイド溝２の対向片部２ａ間の対向間隔を前記囲い板１の板厚と略合致する長さに設定し、この金具本体Ａを金具固定手段Ｔにより前記窓ａの左右側部に一対互いのガイド溝２の開口側を対向状態にして固定し、この対向するガイド溝２間に上方から複数の前記囲い板１を落とし込むことでこの一対の金具本体Ａ間に架設状態にして複数の囲い板１を前記窓ａの外側にこの窓ａに対向状態にして上下多段に取り付けできる構成としたことを特徴とする請求項１〜３のいずれか１項に記載の窓囲い板用取付金具に係るものである。
【００１６】
また、前記金具本体Ａの前記ガイド溝２の対向片部２ａ及び溝底部２ｂに夫々、螺子やビスなどの止着部材４を挿通する挿通孔５を形成し、このガイド溝２の対向片部２ａ若しくは溝底部２ｂのいずれか一方の前記挿通孔５に挿通した止着部材４により、この金具本体Ａのガイド溝２の対向片部２ａ若しくは溝底部２ｂを前記窓ａの左右側部に対して対向状態にしてこの金具本体Ａを窓ａの左右側部に固定し得るように前記金具固定手段Ｔを構成したことを特徴とする請求項１〜４のいずれか１項に記載の窓囲い板用取付金具に係るものである。
【００１７】
また、前記金具本体Ａは、一対互いのガイド溝２の開口側を対向状態にして前記窓ａの左右側部に固定してこの対向するガイド溝２間に上方から落とし込んだ前記囲い板１がこのガイド溝２間から下方に脱落することを阻止するストッパ部材６をこのガイド溝２の少なくとも一箇所に設けた構成としたことを特徴とする請求項１〜５のいずれか１項に記載の窓囲い板用取付金具に係るものである。
【考案の効果】
【００１８】
本考案は上述のように構成したから、金具本体を、金具固定手段により窓の左右側部に一対互いのガイド溝の開口側を対向状態にして固定した場合、この一対の金具本体の対向するガイド溝間に上方から囲い板を落とし込むことで、この一対の金具本体間に架設状態にしてこの囲い板を前記窓の外側に取り付けできる。
【００１９】
また、この金具本体を、金具固定手段により窓の左右側部に一対互いのガイド溝の対向片部側を対向状態に固定した場合、この一対の金具本体の対向するガイド溝の各対向片部に対設された板挿通孔に左右側方から前記囲い板を架設状態に挿通配設することで、この一対の金具本体間に架設状態にしてこの囲い板を前記窓の外側に取り付けできる。
【００２０】
よって、本考案は、窓の左右側部に固定した金具本体間に架設状態にして前記囲い板を窓の外側に取り付けでき、この囲い板により窓を雪や強風などの外力から防護できることは勿論、この囲い板の取り付け方法を、窓の左右側部に固定した一対の金具本体の対向するガイド溝に囲い板を落とし込むか、若しくは対向するガイド溝の対向片部に形成した板挿通孔に左右側方から囲い板を挿通配設するかのどちらかを窓の周囲の障害物の有無や使用者の好みに合わせて適宜選択できることから、例えば窓の上方の屋根が邪魔で囲い板の取り付け・取り外し作業が良好に行えないといった問題も起こり得ず、様々な窓の外側に囲い板を確実に、しかも誰でも簡単に作業能率良く取り付け・取り外しが行える極めて利便性に秀れた画期的で実用性の高い窓囲い板用取付金具となる。
【００２１】
また、請求項２記載の考案においては、単に平板材を折曲して形成した簡易な構成で、且つ確実に本考案の秀れた作用効果を発揮できる構成となるから、生産が容易にして量産性やコスト面にも秀れた一層実用性の高い窓囲い板用取付金具となる。
【００２２】
また、請求項３，４記載の考案においては、複数の囲い板を、簡単に作業能率良く窓の外側に取り付けできる構成としたから、窓を雪や強風などの外力から防護するものとして一層有効な窓囲い板用取付金具となる。
【００２３】
また、特に金具本体の長さ方向に所定間隔を介して複数の板挿通孔を形成し、この各板挿通孔に挿通配設した複数の囲い板間の隙間から光を採光できる構成とすることもできるから、例えば、光を採光したい場合には金具本体を一対互いのガイド溝の対向片部側を対向状態にして窓の左右側部に固定してこの金具本体の長さ方向に所定間隔を介して形成した板挿通孔に囲い板を挿通配設するようにし、囲い板を隙間無く窓の外側に取り付けたい場合には金具本体をガイド溝の開口側を対向状態にして固定して対向するガイド溝間に上方から複数の囲い板を順次落としこんで窓の外側に隙間無く上下多段に配設するといった使い分けができる構成とすることも簡易に設計実現可能で、この点においても実用性に秀れる。
【００２４】
また、請求項５記載の考案においては、金具本体を金具固定手段により窓の左右側部に一対固定する際に、この金具本体に形成した挿通孔に挿通した螺子やビスなどの一般的な止着部材を利用して簡単に金具本体の固定作業が行えるだけでなく、この金具本体を一対互いのガイド溝の開口側を対向状態にして固定するか、若しくはこの金具本体を一対互いのガイド溝の対向片部側を対向状態にして固定するかを、単に、金具本体のガイド溝の対向片部に形成した挿通孔に止着部材を挿通するか、若しくは、溝底部に形成した挿通孔に止着部材を挿通するかにより適宜選択して所望の固定向きで簡単に金具本体を固定でき、一層作業性に秀れた実用性の高い窓囲い板用取付金具となる。
【００２５】
また、請求項６記載の考案においては、ストッパ部材により、対向するガイド溝間に上方から落とし込んだ囲い板をこのガイド溝間、即ち窓の左右側部に固定した一対の金具本体間に架設状態に確実に保持でき、この種の窓囲い板用取付金具として一層有効なものとなる。
【考案を実施するための最良の形態】
【００２６】
好適と考える本考案の実施形態（考案をどのように実施するか）を、図面に基づいて本考案の作用を示して簡単に説明する。
【００２７】
長さ方向にガイド溝２を有する断面略コ字状に形成した金具本体Ａを、金具固定手段Ｔにより窓ａの左右側部に一対互いのガイド溝２の開口側を対向状態にして固定する。
【００２８】
この一対の金具本体Ａの対向するガイド溝２間に上方から囲い板１を落とし込むことで、この一対の金具本体Ａ間に架設状態にしてこの囲い板１を前記窓ａの外側に取り付けでき、この囲い板１により窓ａを雪や強風などの外力から防護できることとなる。
【００２９】
また、この金具本体Ａを、金具固定手段Ｔにより窓ａの左右側部に一対互いのガイド溝２の対向片部２ａ側を対向状態に固定する。
【００３０】
ここで、この金具本体Ａのガイド溝２の対向片部２ａには、前記囲い板１を挿通する板挿通孔３を対向状態に対設している。
【００３１】
よって、この一対の金具本体Ａの対向するガイド溝２の各対向片部２ａに対設された前記板挿通孔３に左右側方から前記囲い板１を架設状態に挿通配設することで、この一対の金具本体Ａ間に架設状態にしてこの囲い板１を前記窓ａの外側に取り付けでき、この囲い板１により窓ａを雪や強風などの外力から防護できることとなる。
【００３２】
従って、本考案は、一対の金具本体Ａを互いのガイド溝２の開口側を対向状態とする向きで窓ａの左右側部に固定した場合には、この一対の金具本体Ａ間（対向するガイド溝２間）に上方から囲い板１を落とし込むことでこの囲い板１を窓ａの外側に取り付けでき、一方、この一対の金具本体Ａを互いのガイド溝２の対向片部２ａ側を対向状態とする向きで窓ａの左右側部に固定した場合には、この一対の金具本体Ａ間に板挿通孔３を介して左右側方から囲い板１を挿通配設することでこの囲い板１を窓ａの外側に取り付けできる。
【００３３】
即ち、本考案は、この一対の金具本体Ａを窓ａの左右側部に固定する際のこの各金具本体Ａの向きを、互いのガイド溝２の開口側を対向状態とする向きと、互いのガイド溝２の対向片部２ａ側を対向状態とする向きのどちらにするかによって、前記囲い板１を取り付ける際に、この囲い板１をこの一対の金具本体Ａの対向するガイド溝２間に上方から落とし込むか、この一対の金具本体Ａのガイド溝２間に板挿通孔３を介して左右側方から架設状態に挿通配設するかを適宜選択できるから、例えば窓ａの上方に屋根などの障害物がある場合には一対の金具本体Ａを互いのガイド溝２の対向片部２ａ側を対向状態にして固定して囲い板１を板挿通孔３を介して左右側方から挿通配設して窓ａの外側に取り付け、また例えば窓ａの左右側方に障害物がある場合には、一対の金具本体Ａを慣例通り互いのガイド溝２の開口側を対向状態にして固定して囲い板１をガイド溝２間に上方から落とし込んで窓ａの外側に取り付けるなど、窓ａの周囲の障害物の有無や使用者の好みに合わせて適宜な取り付けスタイルで簡単且つ良好に囲い板１の取り付けが行えることとなる。
【００３４】
また、例えば、この金具本体Ａは、前記ガイド溝２の対向片部２ａにこの金具本体Ａの長さ方向に長い孔形状を有する前記板挿通孔３を対向状態に対設した構成とすると共に、この板挿通孔３をこの金具本体Ａの長さ方向に所定間隔を介して複数対設した構成とした、若しくはこの板挿通孔３を前記囲い板１を金具本体Ａの長さ方向に複数並設状態に挿通配設し得る長孔形状に形成した構成とすれば、単にこの金具本体Ａの長さ方向に複数並設された板挿通孔３夫々に囲い板１を挿通配設するだけで、若しくは単にこの金具本体Ａの長さ方向に長尺な孔形状の板挿通孔３に複数の囲い板１を上下方向に複数並設状態に順次挿通配設するだけで窓ａの外側にこの窓ａに対向状態にして上下多段に複数の囲い板１を取り付けでき、囲い板１を窓ａの外側に複数、しかも簡単に取り付けできる構成とすることも簡易に設計実現可能である。尚、金具本体Ａの長さ方向に所定間隔を介して複数の板挿通孔３を形成した構成とした場合、それだけこの各板挿通孔３に挿通配設された囲い板１間にも金具本体Ａの長さ方向に所定間隔が生ずることとなるから、例えば、この囲い板１間に十分に隙間が生ずるように板挿通孔３間の所定間隔を設定してこの囲い板１間の隙間から窓ａに光を採光するように構成しても良い。
【００３５】
また、例えば、この金具本体Ａは、前記ガイド溝２の対向片部２ａ間の対向間隔を前記囲い板１の板厚と略合致する長さに設定した構成とすれば、この金具本体Ａを金具固定手段Ｔにより前記窓ａの左右側部に一対互いのガイド溝２の開口側を対向状態にして固定し、この対向するガイド溝２間に上方から複数の囲い板１を順次落とし込むだけで窓ａの外側にこの窓ａに対向状態にして上下多段に複数の囲い板１を取り付けでき、複数の囲い板１を窓ａの外側に多段に、しかも簡単に取り付けできる構成とすることも簡易に設計実現可能である。
【００３６】
また、本考案は、単に囲い板１を対向するガイド溝２間に上方から落とし込むだけ、若しくは単に囲い板１を対向するガイド溝２の各対向片部２ａに対設した板挿通孔３に左右側方から挿通配設するだけの極めて簡易な作業で一対の金具本体Ａ間に囲い板１を取り付ける作業を達成でき、また、対向するガイド溝２間に落とし込んだ囲い板１を上方に持ち上げるだけ、若しくは対向するガイド溝２の各対向片部２ａに対設した板挿通孔３に挿通配設した囲い板１を左右側方に抜き取るだけの極めて簡易な作業で一対の金具本体Ａ間から囲い板１を取り外す作業も達成でき、囲い板１の取り付け・取り外しを簡単に行える為、例えば従来例のように、先ず囲い板１を板挿通孔３を介して左右側方からガイド溝２間に挿通配設し、次いでこの囲い板１をこのガイド溝２間の下方へと落とし込むといった二つの作業を要する構成のものに比して、それだけ作業能率良く囲い板１の取り付け・取り外し作業が行えるものである。
【００３７】
よって、本宏案は、囲い板１を窓ａの外側に簡単に取り付け・取り外しでき、この囲い板１により窓ａを雪や強風などの外力から良好に防護できることは勿論、この囲い板１の取り付け方法を、窓ａの左右側部に固定した一対の金具本体Ａの対向するガイド溝２に囲い板１を落とし込むか、若しくは対向するガイド溝２の各対向片部２ａに形成した板挿通孔３に左右側方から囲い板１を挿通配設するかのどちらかを窓ａの周囲の障害物の有無や使用者の好みに合わせて適宜選択できることから、様々な窓ａの外側にこの囲い板１を確実に、しかも誰でも簡単に作業能率良く取り付け・取り外しできる極めて実用性に秀れた窓囲い板用取付金具となる。
【００３８】
また、例えば、この金具本体Ａは平板材を折曲して長さ方向に前記ガイド溝２を形成すると共にこのガイド溝２の対向片部２ａにこの金具本体Ａの長さ方向に長い孔形状を有する前記板挿通孔３を対向状態に対設した構成とした場合には、単に平板材を折曲したシンプルな形状でありながら本考案の秀れた作用効果を確実に発揮し得、それだけコスト面や生産性にも秀れることとなる。
【００３９】
また、例えば、前記金具本体Ａの前記ガイド溝２の対向片部２ａ及び溝底部２ｂに夫々、螺子やビスなどの止着部材４を挿通する挿通孔５を形成し、このガイド溝２の対向片部２ａ若しくは溝底部２ｂのいずれか一方の前記挿通孔５に挿通した止着部材４により、この金具本体Ａのガイド溝２の対向片部２ａ若しくは溝底部２ｂを前記窓ａの左右側部に対して対向状態にしてこの金具本体Ａを窓ａの左右側部に固定し得るように前記金具固定手段Ｔを構成した場合には、螺子やビスなどの止着部材４を用いた一般的な止着構造を採用したことで前記金具固定手段Ｔを簡易に設計実現できることとなるうえに、金具本体Ａの前記ガイド溝２の対向片部２ａに形成した挿通孔５、若しくはこのガイド溝２の溝底部２ｂに形成した挿通孔５のいずれの挿通孔５に止着部材４を挿通するかを選択することで、金具本体Ａを一対互いのガイド溝２の開口側を対向状態にして固定するか、若しくは互いのガイド溝２の対向片部２ａ側を対向状態にして固定するかを選択でき、一層簡単に所望の取り付けスタイルで囲い板１を取り付けできることとなる秀れた金具固定手段Ｔが簡易に設計実現可能となる。
【００４０】
尚、この金具固定手段Ｔは、例えば金具本体Ａを直接、窓ａの左右側部に当接状態にして前記止着部材４で止着固定する構成としても良く、また例えば、窓ａの左右側部に金具固定用の部材を外方へ突出状態に固定し、この金具固定用の部材の突端側に前記金具本体Ａを当接せしめて前記止着部材４により止着固定する構成としても良い。
【００４１】
また、例えば、前記金具本体Ａは、一対互いのガイド溝２の開口側を対向状態にして前記窓ａの左右側部に固定してこの対向するガイド溝２間に上方から落とし込んだ前記囲い板１がこのガイド溝２間から下方に脱落することを阻止するストッパ部材６をこのガイド溝２の少なくとも一箇所に設けた構成とした場合には、例えば、このストッパ部材６を各ガイド溝２の下端側に設ければ、このガイド溝２間に上方から落とし込んだ囲い板１をガイド溝２間、即ち一対の金具本体Ａ間に架設状態にして確実に保持できることとなる。
【実施例】
【００４２】
本考案の具体的な実施例について図面に基づいて説明する。
【００４３】
本考案は、窓ａの左右側部に固定してこの窓ａの外側に囲い板１を取り付ける窓囲い板用取付金具において、金具固定手段Ｔにより前記窓ａの左右側部に固定される金具本体Ａは、長さ方向にガイド溝２を有する断面略コ字状に形成した構成とし、この金具本体Ａの前記ガイド溝２の対向する対向片部２ａに前記囲い板１を架設状態に挿通する板挿通孔３を対向状態に対設し、この金具本体Ａを金具固定手段Ｔにより前記窓ａの左右側部に一対互いのガイド溝２の開口側を対向状態にして固定し、この対向するガイド溝２間に上方から前記囲い板１を落とし込むことでこの一対の金具本体Ａ間に架設状態にしてこの囲い板１を前記窓ａの外側に取り付けでき、且つ、この金具本体Ａを金具固定手段Ｔにより前記窓ａの左右側部に一対互いのガイド溝２の対向片部２ａ側を対向状態にして固定し、この対向するガイド溝２の各対向片部２ａに対設された前記板挿通孔３に左右側方から前記囲い板１を架設状態に挿通配設することでこの一対の金具本体Ａ間に架設状態にしてこの囲い板１を前記窓ａの外側に取り付けできる構成としたものである。
【００４４】
尚、囲い板１は、図３及び図５に図示したように、木材を長方形の平板状に成形したものである。
【００４５】
金具本体Ａは、図１に図示したように、金属製の平板材を略コ字状に折曲して長さ方向に前記ガイド溝２を形成したものである。
【００４６】
従って、この金具本体Ａを金具固定手段Ｔにより前記窓ａの左右側部に一対互いのガイド溝２の開口側を対向状態にして固定した際、この対向するガイド溝２間に上方から囲い板１をその板面が前記窓ａと対向状態となるようにして落とし込むことで、図３に図示したように、この囲い板１の端側がこのガイド溝２により被嵌状態にスライド案内され、ガイド溝２間を下方にスライド移動することとなる。
【００４７】
また、この金具本体Ａは、前記ガイド溝２の対向片部２ａ間の対向間隔を前記囲い板１の板厚と略合致する長さに設定している。
【００４８】
従って、このガイド溝２内で前記囲い板１がガタツクことが無く、また、この一対の金具本体Ａの対向するガイド溝２間に上方から複数の囲い板１を順次落とし込むことで、図７に図示したように、この一対の金具本体Ａ間に架設状態にしてこの複数の囲い板１を前記窓ａの外側にこの窓ａに対して板面を対向状態にして上下多段に取り付けできる。
【００４９】
また、このガイド溝２には、前記囲い板１を保持するストッパ部材６を設けている。具体的には、図１に図示したように、ガイド溝２の対向する対向片部２ａの一端（下端）に夫々、対向する他の対向片部２ａに向けて突出状態に折曲状態に支承板６ａを設けた構成としている。
【００５０】
従って、この金具本体Ａを一対互いのガイド溝２の開口側を対向状態にして前記窓ａの左右側部に固定してこの対向するガイド溝２間に上方から落とし込んだ前記囲い板１は、この支承板６ａに支承されてこの対向するガイド溝２間から下方に脱落することを阻止され、このガイド溝２間、即ち一対の金具本体Ａ間に架設状態にして確実に保持される。
【００５１】
また、この金具本体Ａのガイド溝２の対向片部２ａには、金具本体Ａの長さ方向に長い孔形状を有する板挿通孔３を対向状態に対設している。
【００５２】
具体的には、この板挿通孔３は、図１及び図５に図示したように、前記囲い板１の周面形状と略合致する前記金具本体Ａの長さ方向に長い矩形状に形成している。
【００５３】
従って、この板挿通孔３に挿通した前記囲い板１のガタツキを抑止し、ひいては、ガタツキから生ずる囲い板１の位置ズレによって懸念される板挿通孔３からの囲い板１の脱落を抑止している。
【００５４】
また、この板挿通孔３は、図１に図示したように、このガイド溝２の対向片部２ａに、金具本体Ａの長さ方向に所定間隔を介して複数並設状態に形成している。
【００５５】
従って、この金具本体Ａを金具固定手段Ｔにより窓ａの左右側部に一対互いのガイド溝２の対向片部２ａ側を対向状態にして固定し、このガイド溝２の各対向片部２ａに上下方向（金具本体Ａの長さ方向）に複数並設状態に形成された各板挿通孔３に夫々囲い板１を架設状態に挿通配設することで、図８に図示したように、この一対の金具本体Ａ間に架設状態にしてこの複数の囲い板１を前記窓ａの外側にこの窓ａに対して板面を対向状態にして上下に複数並設状態に取り付けできる。また、囲い板１は、図８に図示したように、少なくとも一対の金具本体Ａの各対向片部２ａに対設した一対の各板挿通孔３に、即ち四つの板挿通孔４に連通されて少なくとも四箇所で架設状態に保持されるから、それだけ取り付け安定性に秀れる。
【００５６】
尚、この複数の板挿通孔３は、金具本体Ａの長さ方向に所定間隔を介して複数並設しており、それだけこの各板挿通孔３に挿通配設した複数の囲い板１間にも所定の間隔が生ずる為、この囲い板１間の隙間（所定の間隔）から光を採光することも可能である。
【００５７】
また、本実施例においては、この板挿通孔３を前記囲い板１と略合致する矩形状とし、且つ金具本体Ａの長さ方向に所定間隔を介して複数並設状態に形成し、この各板挿通孔３に囲い板１を挿通配設することで金具本体Ａの長さ方向に複数並設状態に囲い板１を取り付けできる構成としたが、これに限らず、例えばこの板挿通孔３を前記囲い板１を金具本体Ａの長さ方向に複数並設状態に挿通配設し得る長孔形状に形成して、一つの板挿通孔３に複数の囲い板１を順次挿通配設して複数の囲い板１を金具本体Ａの長さ方向に複数並設状態に取り付けする構成としても良く、他にも本実施例と同様の作用効果を発揮し得る構成であれば良い。
【００５８】
尚、上述のように構成した金具本体Ａは、単に金属製の板材を折曲及び穿孔して簡易に生産可能な構成で、しかも、窓ａの左右側部に固定する一対の金具本体Ａとして同じ構成の金具本体Ａを二体使用するだけで、異なる構成のものを二体用意する必要は無く、よって量産面やコスト面においても秀れるものである。
【００５９】
また、図３に図示したように、一対互いのガイド溝２の開口側を対向状態にして固定してこのガイド溝２間に上方から囲い板１を落とし込んで使用する場合と、図５に図示したように、一対互いのガイド溝２の対向片部２ａを対向状態にして固定してこのガイド溝２の各対向片部２ａに形成した板挿通孔３に囲い板１を挿通配設して使用する場合とで、同一サイズの囲い板１を使用できるように構成しているが、例えば異なるサイズの囲い板１を使い分けて使用しても良い。
【００６０】
この金具本体Ａを窓ａの左右側部に固定するための金具固定手段Ｔは、この金具本体Ａに、螺子やビスなどの止着部材４を挿通孔５を形成してこの挿通孔５に挿通した前記止着部材４によりこの金具本体Ａを窓ａの左右側部に固定する構成である（本実施例においては、止着部材４として、図２及び図４に図示したように、螺子を採用する。）。
【００６１】
また、この螺子（止着部材４）を挿通する挿通孔５は、図１に図示したように、金具本体Ａの前記ガイド溝２の対向片部２ａ及び溝底部２ｂに夫々形成している。
【００６２】
このガイド溝２の溝底部２ｂに形成した挿通孔５は、具体的には、図１に図示したように、金具本体Ａのガイド溝２の溝底部２ｂにしてこのガイド溝２の一端寄り位置及び他端寄り位置に夫々この金具本体Ａの長さ方向に所定間隔を介してこの挿通孔５を複数並設状態に形成している。
【００６３】
従って、図２に図示したように、この金具本体Ａのガイド溝２の溝底部２ｂ側を前記窓ａの左右側部に当接せしめ、この溝底部２ｂに形成した前記挿通孔５に挿通した螺子の先端を前記窓ａの左右側部（建築物の壁など）に螺着してこの螺子の螺子頭でこの金具本体Ａをこの窓ａの左右側部に締め付け止着固定することで、窓ａの左右側部に金具本体Ａを一対互いのガイド溝２の対向片部２ａ側を対向状態にして固定できる。
【００６４】
また、このガイド溝２の対向片部２ａに形成した板挿通孔５は、具体的には、図１に図示したように、金具本体Ａのガイド溝２の対向片部２ａにして、この対向片部２ａに複数並設状態に対設された板挿通孔３間の間隙スペースにこの板挿通孔５を対設している。
【００６５】
従って、図４に図示したように、この金具本体Ａのガイド溝２の対向片部２ａのいずれか一方を前記窓ａの左右側部に当接せしめ、この一方の対向片部２ａに形成した挿通孔５に挿通した螺子を、対向する他方の対向片部２ａに形成した挿通孔５に挿通したドライバにより螺動操作してこの窓ａの左右側部に締め付け止着固定することで、窓ａの左右側部に金具本体Ａを一対互いのガイド溝２の開口側を対向状態にして固定できる。
【００６６】
このように、本実施例の金具固定手段Ｔは、金具本体Ａのガイド溝２の対向片部２ａと溝底部２ｂのいずれか一方側を前記窓ａの左右側部に当接状態にして固定することで、図２及び図４に図示したように、金具本体Ａを異なる固定向きに固定でき、この金具本体Ａを一対互いのガイド溝２の開口側を対向状態にして固定するかを適宜選択できる。
【００６７】
尚、本実施例のように金具本体Ａを直接窓ａの左右側部に当接せしめて前記止着部材４により締め付け止着固定する構成としても良いが、これに限らず、例えば図６に図示したように、窓ａの左右側部に金具固定用部材７を外方へ突出状態に固定し、この金具固定用部材７に当接状態に前記金具本体Ａを止着部材４で止着固定する構成としても良い。具体的には、例えば、図６に図示したように、金具固定用部材７の基端側を前記窓ａの左右側部に当接せしめて螺子などの止着部材８から成る止着手段により止着固定し、一方、この金具固定用部材７の突端側には前記金具本体Ａを当接状態にして前記金具固定手段Ｔの止着部材４（例えば、図６に図示したボルトとナット）によりこの金具本体Ａをこの金具固定用部材７に締め付け止着固定することで、金具本体Ａを窓ａの左右側部に前記金具固定用部材７を介して離間した位置に固定するように金具固定手段Ｔを構成しても良い。この場合は、窓ａと離間した位置に囲い板１を取り付けできるので、この離間距離のぶんだけ回動式の窓ａを外方に開き回動操作することも可能である。
【００６８】
本実施例は上述のように構成したから、図２に図示したように、金具固定手段Ｔにより金具本体Ａをガイド溝２の対向片部２ａを窓ａの左右側部に当接せしめて螺子で締め付け止着固定することで、この金具本体Ａの一対互いのガイド溝２の開口側を対向状態にして固定できる。
【００６９】
この際、この対向するガイド溝２の対向する溝底部２ｂの対向間隔を、前記囲い板１の板長さと略合致する距離に設定しておく。
【００７０】
そして、図３に図示したようにこの対向するガイド溝２間に上方から複数の囲い板１を順次落とし込むことで、図７に図示したように窓ａの外側に複数の囲い板１をその板面を窓ａに対向状態にして上下多段に隙間無く取り付けられる。
【００７１】
また、図４に図示したように、金具固定手段Ｔにより金具本体Ａをガイド溝２の溝底部２ｂを窓ａの左右側部に当接せしめて螺子で締め付け止着固定することで、この金具本体Ａを一対互いの対向片部２ａ側を対向状態にして固定できる。
【００７２】
この際、この対向する一対の金具本体Ａの離間距離は前記囲い板１の板長さに比してやや僅かに短い距離に設定しておく。
【００７３】
そして、図５に図示したようにこの対向するガイド溝２の各対向片部２ａに複数並設状態に形成した各板挿通孔３に夫々囲い板１を挿通配設することで、図８に図示したように窓ａの外側に複数の囲い板１をその板面を窓ａに対向状態にして上下方向に所定間隔を介して複数並設状態に取り付けられる。
【００７４】
よって、本実施例は、単に一対の金具本体Ａを金具固定手段Ｔにより窓ａの左右側部に固定する際、この一対の金具本体Ａを、互いのガイド溝２の開口側が対向状態となる固定向きで固定するか、若しくは互いのガイド溝２の対向片部２ａ側が対向状態となる固定向きで固定するかを選ぶことで、囲い板１の取り付け方法を、この一対の金具本体Ａに対して上方から落とし込むか、左右側方から挿通配設するかを選択でき、よって、例えば窓ａの上方に屋根があってこの窓ａの左右側部に固定した一対の金具本体Ａの対向するガイド溝２間に上方から囲い板１を落とし込んで取り付ける作業を良好に進展できない場合においても、一対の金具本体Ａの固定向きを互いのガイド溝２の対向片部２ａ側を対向状態にして固定してこの一対の金具本体Ａの板挿通孔３に左右側方から囲い板１を挿通配設することで、屋根付きの窓ａにも簡単且つ良好に囲い板１を取り付けることができるなど、様々な窓ａにその周囲の障害物（屋根など）の有無に関り無く良好に囲い板１の取り付け作業を進展できる。
【００７５】
特に窓ａの上方に屋根などの障害物があってこの窓ａの左右側部に固定した一対の金具本体Ａに対して左右側方から前記囲い板１を取り付けたい場合に、これまでは、従来例に記載の通り先ず囲い板１を板挿通孔３を介して左右側方から対向するガイド溝２間に挿通配設し、次いでこの囲い板１をこのガイド溝２間の下方に落とし込む二つの作業が必要であったところを、本実施例においては単に複数の各板挿通孔３に左右側方から挿通配設するだけの一つの作業で達成でき、またこの囲い板１を取り外す作業も単に囲い板１を板挿通孔３から抜き出す一つの作業で達成できる。
【００７６】
また、窓ａの外部に上下多段に隙間無く囲い板１を配設してこの窓ａを外力から防護したい場合には、図７に図示したように対向するガイド溝２間に上方から複数の囲い板１を順次落とし込む取り付け方法を採用し、一方、窓ａから光を採光しつつ囲い板１によって窓ａを外力から防護したい場合には、図８に図示したように金具本体Ａの長さ方向、即ち上下方向に所定間隔を介して複数並設した板挿通孔３に囲い板１を配設して、上下方向に所定の間隔（隙間）を生ずるようにして囲い板１を並設状態に配設する取り付け方法を採用するなど、使用者の好みに合わせて適宜な取り付けスタイルで囲い板１を取り付けることもできる。
【００７７】
よって、本実施例は、様々な窓ａに誰でも簡単に作業能率良く囲い板１を取り付け・取り外しでき、この種の窓囲い板用取付金具として極めて有効な画期的で実用性に秀れた窓囲い板用取付金具となる。
【００７８】
尚、本考案は、本実施例に限られるものではなく、各構成要件の具体的構成は適宜設計し得るものである。
【図面の簡単な説明】
【００７９】
【図１】本実施例の窓囲い板用取付金具の説明斜視図である。
【図２】本実施例の窓囲い板用取付金具の金具本体Ａの金具固定手段Ｔによる固定方法の説明断面図である。
【図３】本実施例の窓囲い板用取付金具の使用方法を示す説明斜視図である。
【図４】本実施例の窓囲い板用取付金具の金具本体Ａの金具固定手段Ｔにより固定方法の説明断面図である。
【図５】本実施例の窓囲い板用取付金具の使用方法を示す説明斜視図である。
【図６】本実施例の窓囲い板用取付金具の金具本体Ａの金具固定手段Ｔによる固定方法の別例を示す図である。
【図７】本実施例の窓囲い板用取付金具の使用状態図である。
【図８】本実施例の窓囲い板用取付金具の使用状態図である。
【符号の説明】
【００８０】
１  囲い板
２  ガイド溝
２ａ  対向片部
２ｂ  溝底部
３  板挿通孔
４  止着部材
５  挿通孔
６  ストッパ部材
Ａ  金具本体
Ｔ  金具固定手段
ａ  窓
【図１】
0003118729.tif 000003
【図２】
0003118729.tif 000004
【図３】
0003118729.tif 000005
【図４】
0003118729.tif 000006
【図５】
0003118729.tif 000007
【図６】
0003118729.tif 000008
【図７】
0003118729.tif 000009
【図８】
0003118729.tif 000010